(57)【要約】【課題】パネルが倒れるおそれがなく、また脱着性が良好で、より低コストで得られるパネル構造を提供しようとする。【解決手段】パネル1の一端に備えられるスタンド用添え板10の底面に突起11を形成させるとともに、該突起11が嵌合する嵌合孔20を、パネルスタンド位置のフレーム2に形成させた。【選択図】図１
2009090813.tif 000002
【特許請求の範囲】
【請求項１】
パネルの一端に備えられるスタンド用添え板の底面に突起を形成させるとともに、該突起が嵌合する嵌合孔を、パネルスタンド位置のフレームに形成させたことを特徴とする電装品取付用パネル固定構造。
【発明の詳細な説明】
【技術分野】
【０００１】
この発明は、リレーやコントローラ等の電装品を取り付けるパネルの固定構造に関する。
【背景技術】
【０００２】
油圧ショベルやクレーン車などの作業機械においては、リレーやコントローラなどの電装品がパネルに取り付けられたうえ、そのパネルが運転席の下方部に収納される形態となっている。
【０００３】
このようなパネルの具体的な構造として、例えば特開２０００−９６６０９に開示されるように、座席シート基台のフレーム内に、水平状に収納したうえで固定する形態があるが、図２に示すように、スタンド状態で固定する形態もある。この形態では、パネル3一端には、パネル3を立てるためのスタンド用添え板30を備え、その添え板30を前記フレーム内の床フレーム2上に置いてパネル3を立て、パネル3面上の上下左右４箇所31をボルト締めにより固定するというものである。
【０００４】
【特許文献１】特開２０００−９６６０９（図３，図４）
【発明の開示】
【発明が解決しようとする課題】
【０００５】
しかし、図２に示す固定構造では、ボルトを緩めてパネル3を取り外す際、パネル3が不意に倒れ、断線したり、電装品がショートするおそれがあった。これを防ぐには、添え板30の当接面積を大きくすることも考えられるが、それではパネル3のコストアップとなることに加え、フレーム内に、増加した面積分の余計なスペースを確保する必要が生じる。
【０００６】
また、現構造では、ボルトによる固定をパネル3の上下左右４箇所31で行っているので、パネル3の脱着に時間を要し、ボルトの位置合わせも煩雑となっている。
【０００７】
この発明は、従来技術の以上のような問題に鑑み創案されたもので、パネルが倒れるおそれがなく、また脱着性が良好で、より低コストで得られるパネル構造を提供しようとするものである。
【課題を解決するための手段】
【０００８】
このため、この発明に係る電装品取付用パネル固定構造は、パネルの一端に備えられるスタンド用添え板の底面に突起を形成させるとともに、該突起が嵌合する嵌合孔を、パネルスタンド位置のフレームに形成させたことを特徴とする。
【０００９】
この発明に係る構造は、電装品取付用パネルをスタンド状態（立てた状態）で用いることを前提とし、そのため、パネルの一端にスタンド用添え板が備えられている構成を前提とする。ここで、添え板とは、パネルの一端を底部として立てたとき、そのスタンド状態を維持できるように補助する種々の形態の支持部材をいう。添え板は、パネルと一体（例えば後述する実施形態例の添え板10）に形成させても、別体物を固着して形成させても、いずれでも良い。
【００１０】
本発明の構造では、パネルのスタンド位置におけるフレームに嵌合孔が形成されているので、パネル設置時には、その嵌合孔に、添え板底面の突起を嵌合させれば位置決めは即座に完了する。パネル下方は添え板の支持に加え、突起の嵌合により保持されており、さらに、パネル上部側を別途ボルトで締着すれば、パネルは完全に固定される。
【００１１】
逆にパネルを外す際は、パネル上部がボルト等で固定されているのであれば、そのボルトを外していくことになるが、その際、パネルの下方は前記突起がフレーム板の嵌合孔に嵌合しているので、パネルがいきなり倒れてしまうことはない。すなわち、従来のように、パネルが不意に倒れて断線したり、電装品がショートしてしまうおそれがなくなる。
【発明の効果】
【００１２】
以上のように、本発明に係る構造では、突起と嵌合孔の嵌合作用によって、パネルを外す際、従来のようにパネルが不意に倒れることがなくなり、断線や電装品がショートするおそれも減少する。すなわち、きわめて簡易な構成で、パネルが倒れることによる弊害を未然に防止できるものとなっている。
【００１３】
また、パネル設置時の位置決めについてもきわめて容易に行うことができ、少なくともパネル下方側の固定は、他の固定具を使用しなくても良いことになり、パネルの脱着工程が簡易化するものとなる。
【００１４】
そして、構造がきわめて簡易なことに加え、他の固定手段（例えばボルト等）に要するコストも省け、構造構築のコストはきわめて低廉で済むものとなっている。
【発明を実施するための最良の形態】
【００１５】
本発明に係る具体的形態の一例を図１に基づき説明する。なお、本発明が以下の形態例に限定されないことは当然である。
【００１６】
本形態例は、図２(a)に示されるような座席シート基台のフレーム内に収納されるスタンド型パネルの例である。図１(a)はパネル1、(b)は該パネル1が配置される基台フレーム部をそれぞれ示し、(c)はパネル1が取り付けられた状態の基台フレーム部を示している。
【００１７】
パネル1は、その表面にリレーやコントローラ等の電装品が取り付けられており（いずれも図示なし）、また図１(a)に示すように、その下端の左右２箇所に爪状添え板10が備えられている。該爪状添え板10は、パネル1本体の一部を爪状に突出させ、それを直角に折り曲げて形成させており、それが底フレーム2に接地してそこに当接し、その状態によりパネル1のスタンド状態を支持することになるが、その裏面にはそれぞれ突起11が形成されている。一方、同図(b)に示すように、底フレーム2には、前記突起11が嵌合する嵌合孔20がそれぞれ穿設されている。したがって、パネル1の設置は、同図(c)に示すように、パネル1の前記突起11を底フレーム2の嵌合孔20に嵌合させれば、パネル1のスタンド状態の位置合わせが済むと同時に、パネル1下部の固定も完了する。本形態例では、パネル1の固定を確固とするため、パネルの上部２箇所12についてさらにボルト締めしている。
【００１８】
以上のように構成されているので、本形態例に係る構造では、パネル1の設置は、添え板10の突起11を底フレーム2の嵌合孔20に嵌め込めばその位置決めが完了し、またボルト締めも上部の２箇所12のみで足りるので、きわめて容易に取付作業が完了する。
【００１９】
また、パネル1を外す際、上部のボルトを緩めるときにも、パネル1下方では突起11が嵌合孔20に嵌っているので、不意にパネル1が倒れることがなく、従来のように断線したり、電装品がショートしたりすることがない。
【００２０】
しかも、構造がきわめて簡易なので、その構築に要するコストもきわめて低廉で済むというメリットも享受できる。
【００２１】
なお、上述のとおり、本発明が以上の形態例に限定されるものでないことは当然であり、例えばパネル1や添え板10の形状・大きさ、ボルトの位置や数、適用されるフレーム位置等に適宜変更があっても良いことは言うまでもない。
【産業上の利用可能性】
【００２２】
この発明は、作業機械における電装品取付用パネルとして適用できる。
【図面の簡単な説明】
【００２３】
【図１】本発明に係る器具の具体的形態例を示し、(a)はパネル、(b)はパネルが配置されるフレーム、(c)は(b)の位置において(a)のパネルが配置された状態の説明図である。
【図２】従来のスタンド型パネルの配置例を示し、(a)は上部旋回体全体、(b)はパネル部分を拡大した説明図である。
【符号の説明】
【００２４】
1           パネル
2           フレーム（床フレーム）
10          添え板
11          突起
12          ボルト固定部
【図１】
2009090813.tif 000003
【図２】
2009090813.tif 000004